(57)【要約】【課題】セレクタ駆動方式の液晶表示装置において、信号線間における寄生容量に起因するカップリングの影響の差を緩和して、縦スジの改善を実現する。【解決手段】奇数番目の組では、第１本目の信号線に接続されたスイッチ回路を第１の制御信号供給線Ｌ１に接続し、第２本目の信号線に接続されたスイッチ回路を第２の制御信号供給線Ｌ２に接続し、第３本目の信号線に接続されたスイッチ回路を第３の制御信号供給線Ｌ３に接続し、第４本目の信号線に接続されたスイッチ回路を第４の制御信号供給線に接続する。また、偶数番目の組では、第１本目の信号線に接続されたスイッチ回路を第４の制御信号供給線Ｌ４に接続し、第２本目の信号線に接続されたスイッチ回路を第３の制御信号供給線Ｌ３に接続し、第３本目の信号線に接続されたスイッチ回路を第２の制御信号供給線Ｌ２に接続し、第４本目の信号線に接続されたスイッチ回路を第１の制御信号供給線に接続する。【選択図】図１
2009075279.tif 000002
【特許請求の範囲】
【請求項１】
ｘ本（ｘ：２以上の整数）ずつを組として組分けされた信号線と、
該信号線に映像信号を供給する映像信号供給線と、
前記信号線と前記映像信号供給線を接続するスイッチ回路と、
該スイッチ回路を導通状態とする制御信号を供給する制御信号供給線とを備える表示パネルにおいて、
任意の信号線に接続された前記スイッチ回路は、該任意の信号線と同一の組に属する他の信号線に接続された前記スイッチ回路と接続した前記制御信号供給線とは異なる前記制御信号供給線に接続されると共に、
各組の第１本目の信号線に接続された前記スイッチ回路若しくは第ｘ本目の信号線に接続された前記スイッチ回路の少なくともいずれか一方のスイッチ回路は、同スイッチ回路が接続された信号線に隣接する信号線に接続された前記スイッチ回路と同一の前記制御信号供給線に接続されている
ことを特徴とする表示パネル。
【請求項２】
前記信号線はｙ組（ｙ：２以上の整数）に組分けされ、
第（ｙ−１）番目の組の第ｘ本目の信号線に接続された前記スイッチ回路は、第ｙ番目の組の第１本目の信号線に接続された前記スイッチ回路と同一の前記制御信号供給線に接続されている
ことを特徴とする請求項１に記載の表示パネル。
【請求項３】
ｘ本（ｘ：２以上の整数）ずつを組として組分けされた信号線と、
該信号線に映像信号を供給する映像信号供給線と、
前記信号線と前記映像信号供給線を接続するスイッチ回路とを備える表示パネルの駆動方法において、
各組の第１本目の信号線に接続された前記スイッチ回路若しくは第ｘ本目の信号線に接続された前記スイッチ回路の少なくともいずれか一方のスイッチ回路を、同スイッチ回路が接続された信号線と隣接すると共に異なる組に属する信号線に接続された前記スイッチ回路と略同時に導通状態とする
ことを特徴とする表示パネルの駆動方法。
【請求項４】
前記信号線はｙ組（ｙ：２以上の整数）に組分けされ、
第（ｙ−１）番目の組の第ｘ本目の信号線に接続された前記スイッチ回路を、第ｙ番目の組の第１本目の信号線に接続された前記スイッチ回路と略同時に導通状態とする
ことを特徴とする請求項３に記載の表示パネルの駆動方法。
【請求項５】
第（２Ｎ−１）番目（Ｎ：自然数）の組に属する信号線に接続された前記スイッチ回路については、第１本目の信号線に接続された前記スイッチ回路から第ｘ本目の信号線に接続された前記スイッチ回路まで順に導通状態とし、
第２Ｎ番目の組に属する信号線に接続された前記スイッチ回路については、第ｘ本目の信号線に接続された前記スイッチ回路から第１本目の信号線に接続された前記スイッチ回路まで順に導通状態とする、
若しくは、
第（２Ｎ−１）番目の組に属する信号線に接続された前記スイッチ回路については、第ｘ本目の信号線に接続された前記スイッチ回路から第１本目の信号線に接続された前記スイッチ回路まで順に導通状態とし、
第２Ｎ番目の組に属する信号線に接続された前記スイッチ回路については、第１本目の信号線に接続された前記スイッチ回路から第ｘ本目の信号線に接続された前記スイッチ回路まで順に導通状態とする
ことを特徴とする請求項３に記載の表示パネルの駆動方法。
【請求項６】
ｘ本（ｘ：２以上の整数）ずつを組として組分けされた信号線と、
該信号線に映像信号を供給するドライバＩＣと、
前記信号線と前記ドライバＩＣを接続するスイッチ回路と、
該スイッチ回路を導通状態とする制御信号を供給する制御信号供給線とを備える表示装置において、
任意の信号線に接続された前記スイッチ回路は、該任意の信号線と同一の組に属する他の信号線に接続された前記スイッチ回路と接続した前記制御信号供給線とは異なる前記制御信号供給線に接続されると共に、
各組の第１本目の信号線に接続された前記スイッチ回路若しくは第ｘ本目の信号線に接続された前記スイッチ回路の少なくともいずれか一方のスイッチ回路は、同スイッチ回路が接続された信号線に隣接する信号線に接続された前記スイッチ回路と同一の前記制御信号供給線に接続されている
ことを特徴とする表示装置。
【請求項７】
ｘ本（ｘ：２以上の整数）ずつを組として組分けされた信号線と、
該信号線に映像信号を供給するドライバＩＣと、
前記信号線と前記ドライバＩＣを接続するスイッチ回路と、
該スイッチ回路を導通状態とする制御信号を供給する制御信号供給線とを有する表示装置を備え、
該表示装置によって変調された光を用いて映像表示を行なう映像表示装置において、
任意の信号線に接続された前記スイッチ回路は、該任意の信号線と同一の組に属する他の信号線に接続された前記スイッチ回路と接続した前記制御信号供給線とは異なる前記制御信号供給線に接続されると共に、
各組の第１本目の信号線に接続された前記スイッチ回路若しくは第ｘ本目の信号線に接続された前記スイッチ回路の少なくともいずれか一方のスイッチ回路は、同スイッチ回路が接続された信号線に隣接する信号線に接続された前記スイッチ回路と同一の前記制御信号供給線に接続されている
ことを特徴とする映像表示装置。
【発明の詳細な説明】
【技術分野】
【０００１】
本発明は表示パネル及びその駆動方法、並びに表示装置及び映像表示装置に関する。詳しくは、時分割駆動を行なう表示パネル及びその駆動方法、並びにこうした表示パネルを利用した表示装置及び映像表示装置に係るものである。
【背景技術】
【０００２】
平面型表示装置、例えば、画素の電気光学素子として液晶セルを用いた液晶表示装置では、液晶セルを含む画素が行列状に配置されてなる液晶パネルの駆動にあたり、行列状配置の各画素を行単位で順次選択走査しつつ、例えば液晶パネル外部のドライバＩＣから液晶パネル上の画素列ごとに配線された信号線を介して映像信号を供給することにより、その選択行の各画素に対して映像信号の書き込みが行なわれている。
【０００３】
ここで、液晶パネル上に画素列ごとに配線された信号線の各々と、これら信号線に対して映像信号を供給するパネル外部のドライバＩＣの出力との関係を１対１の対応関係をもって設定したのでは、信号線の本数分だけ出力数を持つドライバＩＣを用意する必要があると共に、ドライバＩＣと液晶パネルとの間を電気的に接続するのにその本数分の配線が必要となる。
【０００４】
このような観点から、ドライバＩＣの１つの出力に対して複数本の信号線を単位（組）として割り当て、複数本の信号線を時分割にて順次選択する一方、選択した信号線に対してドライバＩＣの出力毎に時系列で出力される映像信号を時分割で振り分けて供給することによって各信号線を駆動する、いわゆるセレクタ駆動方式（時分割駆動方式）が採用されている（例えば、特許文献１、特許文献２参照。）。
【０００５】
ここで、セレクタ駆動方式は、ドライバＩＣの出力と信号線との関係を１対ｘ（ｘは２以上の整数）の対応関係をもって設定し、ドライバＩＣの１つの出力に対して割り当てられたｘ本の信号線をｘ時分割にて選択して駆動するという駆動方式であり、このセレクタ駆動方式を採用することによって、ドライバＩＣの出力数及びドライバＩＣと液晶パネルとの間の配線数を、信号線の本数の１／ｘに削減することが可能となる。
【０００６】
なお、セレクタ駆動方式を採用する場合には、ドライバＩＣから出力される１系統の映像信号（時系列信号）を、ｘ本の信号線に対して時分割にて振り分けるためのスイッチ回路が液晶パネルに形成され、このスイッチ回路はパネル外部から入力されるドライブ信号によって切替え制御が行われることとなる。
【０００７】
以下、セレクタ駆動方式を採用している従来の液晶表示装置について、図面を用いて説明を行なう。
図１３は従来の液晶表示装置を説明するための模式図であり、ここで示す液晶表示装置２０１は、液晶パネル２０７とドライバＩＣ２０８によって構成されている。
【０００８】
液晶パネルは、画素アレイ部２０２と、各画素を駆動する周辺回路、例えば垂直駆動回路２０３、スイッチ回路群２０４、バッファ群２０５及びプリチャージ回路２０６を有し、液晶パネル２０７はドライバＩＣ２０８からＮ系統の映像信号ＳＩＧ＃１〜ＳＩＧ＃Ｎが入力される構成となっている。
【０００９】
ここで、画素アレイ部２０２は、電気光学素子である液晶セルを含む画素２０９が、透明絶縁基板である第１のガラス基板上に行列状に二次元配置され、この画素配置に対して画素行毎にｍ本の走査線Ｇ１，Ｇ２，Ｇ３・・・Ｇｍが配線され、画素列毎にｎ本の信号線Ｄ１，Ｄ２，Ｄ３・・・Ｄｎが配線された構成となっている。また、第１のガラス基板に対して、第２のガラス基板が所定の間隙を介して対向配置されており、これら２枚のガラス基板間の間隙に液晶材料が封止されることによって液晶パネルが構成されている。
【００１０】
また、垂直駆動回路２０３は、シフトレジスタやバッファ回路等によって構成されており、垂直走査パルスを順に出力し、この垂直走査パルスを画素アレイ部２０２の走査線Ｇに与えることによって画素２０９が行単位で選択されることとなる。
【００１１】
更に、液晶パネルにおける信号線Ｄの駆動方式としてセレクタ駆動方式（時分割駆動方式）を採用しているために、画素アレイ部２０２において、信号線Ｄを互いに隣り合う４本ずつを組（単位）としている。
【００１２】
また、液晶パネルには、その外部に設けられたドライバＩＣ２０８から、信号線Ｄに対してＮ（＝ｎ／４）系統の映像信号ＳＩＧ＃１〜ＳＩＧ＃Ｎが入力されるのであるが、このＮ系統の映像信号ＳＩＧ＃１〜ＳＩＧ＃Ｎは、組となる４本の信号線分の信号が１Ｈ（Ｈ：水平走査期間）毎に時系列で並んだ状態で入力され、スイッチ回路群２０４のＮ個のスイッチ回路ＳＷ１，ＳＷ２，ＳＷ３・・・ＳＷＮにそれぞれ供給される。
【００１３】
更に、Ｎ個のスイッチ回路ＳＷは、液晶パネルの外部から入力されるドライブパルスＨＳＥＬ１，ＨＳＥＬ２，ＨＳＥＬ３，ＨＳＥＬ４に基づいてバッファ群２０５の各バッファ２０５−１，２０５−２，２０５−３，２０５−４の各々から出力されるドライブパルスＨｄｒｉｖｅ１，Ｈｄｒｉｖｅ２，Ｈｄｒｉｖｅ３，Ｈｄｒｉｖｅ４に同期して、組となる４本の信号線を時分割にて順次選択し、その選択した信号線に対して映像信号ＳＩＧ＃１〜ＳＩＧ＃Ｎの各々を時分割で振り分けて供給する。
【００１４】
なお、図１４で示す様に、従来の液晶パネルでは、各組の第ｋ本目（ｋ＝１，２，３，４）の信号線に接続されたスイッチ回路には共通のドライブパルスが印加される様に構成されている。
具体的には、各組の第１本目の信号線に接続されたスイッチ回路、即ち、第（４ｉ−３）本目（ｉ：自然数）の信号線に接続されたスイッチ回路はドライブパルスＨｄｒｉｖｅ１が供給される第１の制御信号供給線Ｌ１と接続され、各組の第２本目の信号線に接続されたスイッチ回路、即ち、第（４ｉ−２）本目の信号線に接続されたスイッチ回路はドライブパルスＨｄｒｉｖｅ２が供給される第２の制御信号供給線Ｌ２と接続され、各組の第３本目の信号線に接続されたスイッチ回路、即ち、第（４ｉ−１）本目の信号線に接続されたスイッチ回路はドライブパルスＨｄｒｉｖｅ３が供給される第３の制御信号供給線Ｌ３と接続され、各組の第４本目の信号線に接続されたスイッチ回路、即ち、第（４ｉ）本目の信号線に接続されたスイッチ回路はドライブパルスＨｄｒｉｖｅ４が供給される第４の制御信号供給線Ｌ４と接続されている。
【００１５】
以下、上記の様に構成された液晶表示装置の駆動方法について説明を行なう。なお、以下では第ｊ本目の信号線に接続されたスイッチ回路を「第ｊ本目のスイッチ回路」と称する。
【００１６】
上記の様に構成された液晶表示装置を駆動する場合には、ドライバＩＣの負担を軽減するために、先ず、水平ブランキング期間において、プリチャージ制御パルスＰＣＧを論理正とし、プリチャージ回路によって各信号線にプリチャージ信号Ｐｓｉｇの書き込みを行なう。なお、プリチャージ回路は図１７で示す様に構成されており、プリチャージ制御パルスＰＣＧを論理正とすることによって、プリチャージ信号Ｐｓｉｇを供給する配線と各信号線を接続しているスイッチ回路が一斉に導通状態となり、各信号線にプリチャージ信号Ｐｓｉｇの書き込みが行なわれることとなる。
【００１７】
次に、垂直駆動回路によって１行目のゲート線Ｇ１にＨレベル信号を出力してゲート線Ｇ１を選択した状態で、図１５中符合ｔ１で示すタイミングでＨｄｒｉｖｅ１をハイレベル（以下、Ｈレベルと称する）にすることで第１の制御信号供給線Ｌ１と接続された第（４ｉ−３）本目のスイッチ回路を導通状態として第（４ｉ−３）本目の信号線に映像信号を供給し、図１５中符合ｔ２で示すタイミングＨｄｒｉｖｅ１をローレベル（以下、Ｌレベルと称する。）にすることで第（４ｉ−３）本目のスイッチ回路を非導通状態として第（４ｉ−３）本目の信号線をフローティング状態とする。即ち、信号線Ｄ（４ｉ−３）に図１５中符合Ｔ１で示す期間に映像信号を供給し、この期間にゲート線Ｇ１及び信号線Ｄ（４ｉ−３）と接続された画素に映像信号を書き込む。
【００１８】
また、図１５中符合ｔ２で示すタイミングでＨｄｒｉｖｅ２をＨレベルにすることで第２の制御信号供給線Ｌ２と接続された第（４ｉ−２）本目のスイッチ回路を導通状態として第（４ｉ−２）本目の信号線に映像信号を供給し、図１５中符合ｔ３で示すタイミングでＨｄｒｉｖｅ２をＬレベルにすることで第（４ｉ−２）本目のスイッチ回路を非導通状態として第（４ｉ−２）本目の信号線をフローティング状態とする。即ち、信号線Ｄ（４ｉ−２）に図１５中符合Ｔ２で示す期間に映像信号を供給し、この期間にゲート線Ｇ１及び信号線Ｄ（４ｉ−２）と接続された画素に映像信号を書き込む。
【００１９】
また、図１５中符合ｔ３で示すタイミングでＨｄｒｉｖｅ３をＨレベルにすることで第３の制御信号供給線Ｌ３と接続された第（４ｉ−１）本目のスイッチ回路を導通状態として第（４ｉ−１）本目の信号線に映像信号を供給し、図１５中符合ｔ４で示すタイミングでＨｄｒｉｖｅ３をＬレベルにすることで第（４ｉ−１）本目のスイッチ回路を非導通状態として第（４ｉ−１）本目の信号線をフローティング状態とする。即ち、信号線Ｄ（４ｉ−１）に図１５中符合Ｔ３で示す期間に映像信号を供給し、この期間にゲート線Ｇ１及び信号線Ｄ（４ｉ−１）と接続された画素に映像信号を書き込む。
【００２０】
また、図１５中符合ｔ４で示すタイミングでＨｄｒｉｖｅ４をＨレベルとすることで第４の制御信号供給線Ｌ４と接続された第（４Ｎ）本目のスイッチ回路を導通状態として第（４Ｎ）本目の信号線に映像信号を供給し、図１５中符合ｔ５で示すタイミングでＨｄｒｉｖｅ４をＬレベルにすることで第（４Ｎ）本目のスイッチ回路を非導通状態として第（４Ｎ）本目の信号線をフローティング状態とする。即ち、信号線Ｄ（４Ｎ）に図１５中符合Ｔ４で示す期間に映像信号を供給し、この期間にゲート線Ｇ１及び信号線Ｄ（４Ｎ）と接続された画素に映像信号を書き込む。
【００２１】
以上の様にして、１行目の画素への映像信号の書き込みが終了することとなる。なお、２行目以降の画素についても同様の作業を繰り返すことによって映像信号の書き込みを行なう。
【００２２】
【特許文献１】特開平１１−３３８４３８号公報
【特許文献２】特開２００１−１３４２４５号公報
【発明の開示】
【発明が解決しようとする課題】
【００２３】
しかしながら、上記した従来の液晶パネルでは、各組の第ｋ本目の信号線に接続されたスイッチ回路に共通のドライブパルスが印加される様に構成されているが故に、表示画像が劣化するという現象が生じている。以下、この点について第２番目の組に属する信号線Ｄ５〜信号線Ｄ８に映像信号ＳＩＧ＃２を供給する場合を例に挙げて詳細に説明を行なう。
【００２４】
なお、信号線間に生じる寄生容量は必ずしも隣接する信号線間のみではなく、互いに離れた位置に存在する信号線間においても生じることとなるが、信号線の電位に最も大きな影響を及ぼすこととなるのは隣接する信号線間の寄生容量であるために、以下では隣接する信号線間のみに寄生容量が生じるものとして説明を行なう。
【００２５】
即ち、第２番目の組に属する信号線Ｄ５〜信号線Ｄ８に映像信号ＳＩＧ＃２を供給して画素へ映像信号を書き込む場合を考えると、上記した様に、図１５中符合Ｔ１で示す期間に信号線Ｄ５に映像信号が供給されることとなるのであるが、図１５中符合ｔ２で示すタイミングでＨｄｒｉｖｅ２をＨレベルにすることで、信号線Ｄ５に隣接する信号線Ｄ６に映像信号が供給されることとなる。そして、信号線Ｄ６に映像信号が供給されると、信号線Ｄ５と信号線Ｄ６との間に存在する寄生容量によって、信号線Ｄ５の電位変動を引き起こしてしまうこととなる（図１６中符合ａ参照。）。
【００２６】
また、図１５中符合Ｔ２で示す期間に信号線Ｄ６に映像信号が供給されることとなるのであるが、図１５中符合ｔ３で示すタイミングでＨｄｒｉｖｅ３をＨレベルにすることで、信号線Ｄ６に隣接する信号線Ｄ７に映像信号が供給されることとなる。そして、信号線Ｄ７に映像信号が供給されると、信号線Ｄ６と信号線Ｄ７との間に存在する寄生容量によって、信号線Ｄ６の電位変動を引き起こしてしまうこととなる（図１６中符合ｂ参照。）。
【００２７】
また、図１５中符合Ｔ３で示す期間に信号線Ｄ７に映像信号が供給されることとなるのであるが、図１５中符合ｔ４で示すタイミングでＨｄｒｉｖｅ４をＨレベルにすることで、信号線Ｄ７に隣接する信号線Ｄ８に映像信号が供給されることとなる。そして、信号線Ｄ８に映像信号が供給されると、信号線Ｄ７と信号線Ｄ８との間に存在する寄生容量によって、信号線Ｄ７の電位変動を引き起こしてしまうこととなる（図１６中符合ｃ参照。）。なお、信号線Ｄ９と隣接する信号線Ｄ８に映像信号が供給されると、信号線Ｄ８と信号線Ｄ９との間に存在する寄生容量によって、信号線Ｄ９の電位変動を引き起こしてしまうことにもなる（図１６中符合ｄ参照。）。
【００２８】
また、図１５中符合ｔ４で示すタイミングではＨｄｒｉｖｅ４をＨレベルとすることで、第１番目の組に属する信号線Ｄ４に映像信号が供給されることとなる。そして、信号線Ｄ５に隣接する信号線Ｄ４に映像信号が供給されると、信号線Ｄ４と信号線Ｄ５との間に存在する寄生容量によって、信号線Ｄ５の電位変動を引き起こしてしまうこととなる（図１６中符合ｅ参照。）。
【００２９】
なお、信号線Ｄ８については、図１５中符合Ｔ４で示す期間に映像信号が供給されることになるのであるが、映像信号が供給された後に信号線Ｄ８に隣接する信号線に映像信号が供給されることがないために、寄生容量によって電位変動を引き起こすことはない。
【００３０】
この様に、信号線Ｄ５は信号線Ｄ４と信号線Ｄ６に映像信号が供給される際に寄生容量によって電位変動が生じ、信号線Ｄ６は信号線Ｄ７に映像信号が供給される際に寄生容量によって電位変動が生じ、信号線Ｄ７は信号線Ｄ８に映像信号が供給される際に寄生容量によって電位変動が生じることとなる。換言すると、信号線Ｄ５は寄生容量によるカップリングの影響を２度受け、信号線Ｄ６及び信号線Ｄ７は寄生容量によるカップリングの影響を１度受け、信号線Ｄ８は寄生容量によるカップリングの影響を受けないということになる。
【００３１】
従って、２度のカップリングの影響を受ける信号線とカップリングの影響を受けない信号線との間では電位の差が顕著となり、こうした信号線と接続されている画素間に縦スジが生じることとなり、結果として上記した様に表示画像が劣化してしまうのである。
【００３２】
なお、特開２００６−１５４８０４号公報には、水平期間内でドライブパルスを印加する順番を、水平期間毎または垂直期間毎に異ならせることによって、水平期間内に信号線に映像信号を書き込む順番を水平期間毎又は垂直期間毎に異ならせ、映像信号の書き込み時に生じる信号線の電位変動を時間的に均一化して縦スジを視認し難くする技術が提案されている。しかし、かかる技術ではドライブＩＣから入力されるドライブパルスを水平期間毎又は垂直期間毎に異ならせるための制御が必要となってしまい、表示パネルの駆動制御が非常に困難になってしまう。
【００３３】
本発明は以上の点に鑑みて創案されたものであって、信号線間における電位変動量を緩和することで、画品位の向上を実現することができる表示パネル及びその駆動方法、並びにこうした表示パネルを利用した表示装置及び映像表示装置を提供することを目的とするものである。
【課題を解決するための手段】
【００３４】
上記の目的を達成するために、本発明に係る表示パネルでは、ｘ本（ｘ：２以上の整数）ずつを組として組分けされた信号線と、該信号線に映像信号を供給する映像信号供給線と、前記信号線と前記映像信号供給線を接続するスイッチ回路と、該スイッチ回路を導通状態とする制御信号を供給する制御信号供給線とを備える表示パネルにおいて、任意の信号線に接続された前記スイッチ回路は、該任意の信号線と同一の組に属する他の信号線に接続された前記スイッチ回路と接続した前記制御信号供給線とは異なる前記制御信号供給線に接続されると共に、各組の第１本目の信号線に接続された前記スイッチ回路若しくは第ｘ本目の信号線に接続された前記スイッチ回路の少なくともいずれか一方のスイッチ回路は、同スイッチ回路が接続された信号線に隣接する信号線に接続された前記スイッチ回路と同一の前記制御信号供給線に接続されている。
【００３５】
ここで、各組の第１本目の信号線に接続されたスイッチ回路若しくは第ｘ本目の信号線に接続されたスイッチ回路の少なくともいずれか一方のスイッチ回路が、同スイッチ回路が接続された信号線に隣接する信号線に接続されたスイッチ回路と同一の制御信号供給線に接続されているために、各組の第１本目の信号線若しくは各組の第ｘ本目の信号線の少なくともいずれか一方は寄生容量によるカップリングの影響を受け難くなる。
【００３６】
なお、任意の信号線に接続されたスイッチ回路は、この任意の信号線と同一の組に属する他の信号線に接続されたスイッチ回路と接続した制御信号供給線とは異なる制御信号供給線に接続されているために、同一の制御信号供給線と接続されることとなる「各組の第１本目の信号線に接続されたスイッチ回路若しくは第ｘ本目の信号線に接続されたスイッチ回路の少なくとも一方のスイッチ回路が接続された信号線」と「同信号線に隣接する信号線」とは互いに異なる組に属する信号線ということとなる。
【００３７】
また、信号線をｙ組に組分けし、第（ｙ−１）番目の組の第ｘ本目の信号線に接続されたスイッチ回路が、第ｙ番目の組の第１本目の信号線に接続されたスイッチ回路と同一の制御信号供給線に接続されることで、異なる組の信号線と隣接している全ての信号線が寄生容量によるカップリングの影響を受け難くなる。
【００３８】
また、上記の目的を達成するために、本発明に係る表示パネルの駆動方法では、ｘ本（ｘ：２以上の整数）ずつを組として組分けされた信号線と、該信号線に映像信号を供給する映像信号供給線と、前記信号線と前記映像信号供給線を接続するスイッチ回路とを備える表示パネルの駆動方法において、各組の第１本目の信号線に接続された前記スイッチ回路若しくは第ｘ本目の信号線に接続された前記スイッチ回路の少なくともいずれか一方のスイッチ回路を、同スイッチ回路が接続された信号線と隣接すると共に異なる組に属する信号線に接続された前記スイッチ回路と略同時に導通状態とする。
【００３９】
ここで、各組の第１本目の信号線に接続されたスイッチ回路若しくは第ｘ本目の信号線に接続されたスイッチ回路の少なくともいずれか一方のスイッチ回路を、このスイッチ回路が接続された信号線と隣接すると共に異なる組に属する信号線に接続されたスイッチ回路と略同時に導通状態とすることによって、各組の第１本目の信号線若しくは各組の第ｘ本目の信号線の少なくともいずれか一方は寄生容量によるカップリングの影響を受け難くなる。
【００４０】
また、信号線をｙ組に組分けし、第（ｙ−１）番目の組の第ｘ本目の信号線に接続されたスイッチ回路を、第ｙ番目の組の第１本目の信号線に接続されたスイッチ回路と略同時に導通状態とすることによって、異なる組の信号線と隣接している全ての信号線が寄生容量によるカップリングの影響を受け難くなる。
【００４１】
また、上記の目的を達成するために、本発明に係る表示装置では、ｘ本（ｘ：２以上の整数）ずつを組として組分けされた信号線と、該信号線に映像信号を供給するドライバＩＣと、前記信号線と前記ドライバＩＣを接続するスイッチ回路と、該スイッチ回路を導通状態とする制御信号を供給する制御信号供給線とを備える表示装置において、任意の信号線に接続された前記スイッチ回路は、該任意の信号線と同一の組に属する他の信号線に接続された前記スイッチ回路と接続した前記制御信号供給線とは異なる前記制御信号供給線に接続されると共に、各組の第１本目の信号線に接続された前記スイッチ回路若しくは第ｘ本目の信号線に接続された前記スイッチ回路の少なくともいずれか一方のスイッチ回路は、同スイッチ回路が接続された信号線に隣接する信号線に接続された前記スイッチ回路と同一の前記制御信号供給線に接続されている。
【００４２】
また、上記の目的を達成するために、本発明に係る映像表示装置では、ｘ本（ｘ：２以上の整数）ずつを組として組分けされた信号線と、該信号線に映像信号を供給するドライバＩＣと、前記信号線と前記ドライバＩＣを接続するスイッチ回路と、該スイッチ回路を導通状態とする制御信号を供給する制御信号供給線とを有する表示装置を備え、該表示装置によって変調された光を用いて映像表示を行なう映像表示装置において、任意の信号線に接続された前記スイッチ回路は、該任意の信号線と同一の組に属する他の信号線に接続された前記スイッチ回路と接続した前記制御信号供給線とは異なる前記制御信号供給線に接続されると共に、各組の第１本目の信号線に接続された前記スイッチ回路若しくは第ｘ本目の信号線に接続された前記スイッチ回路の少なくともいずれか一方のスイッチ回路は、同スイッチ回路が接続された信号線に隣接する信号線に接続された前記スイッチ回路と同一の前記制御信号供給線に接続されている。
【００４３】
ここで、各組の第１本目の信号線に接続されたスイッチ回路若しくは第ｘ本目の信号線に接続されたスイッチ回路の少なくともいずれか一方のスイッチ回路が、同スイッチ回路が接続された信号線に隣接する信号線に接続されたスイッチ回路と同一の制御信号供給線に接続されているために、各組の第１本目の信号線若しくは各組の第ｘ本目の信号線の少なくともいずれか一方は寄生容量によるカップリングの影響を受け難くなる。
【発明の効果】
【００４４】
上記した本発明の表示パネル及びその駆動方法、並びに表示装置及び映像表示装置では、隣接する信号線同士が互いに寄生容量によるカップリングの影響を受け難くなり、信号線間における電位変動量を緩和することができ、画品位の向上が実現する。
【発明を実施するための最良の形態】
【００４５】
以下、本発明の実施の形態について図面を参照しながら説明し、本発明の理解に供する。
図１は本発明を適用した表示装置の一例である液晶表示装置を説明するための模式図であり、ここで示す液晶表示装置１は、液晶パネル７とドライバＩＣ８によって構成されている。
【００４６】
液晶パネルは、上記した従来の液晶パネルと同様に、画素アレイ部２と、各画素を駆動する周辺回路、例えば垂直駆動回路３、スイッチ回路群４、バッファ群５及びプリチャージ回路６を有し、液晶パネル７はドライバＩＣ８からＮ系統の映像信号ＳＩＧ＃１〜ＳＩＧ＃Ｎが入力される構成となっている。
【００４７】
ここで、画素アレイ部２は、上記した従来の液晶パネルと同様に、電気光学素子である液晶セルを含む画素９が、透明絶縁基板である第１のガラス基板上に行列状に二次元配置され、この画素配置に対して画素行毎にｍ本の走査線Ｇ１，Ｇ２，Ｇ３・・・Ｇｍが配線され、画素列毎にｎ本の信号線Ｄ１，Ｄ２，Ｄ３・・・Ｄｎが配線された構成となっている。また、第１のガラス基板に対して、第２のガラス基板が所定の間隙を介して対向配置されており、これら２枚のガラス基板間の間隙に液晶材料が封止されることによって液晶パネルが構成されている。
【００４８】
また、各画素９は、図２で示す様に、画素トランジスタ、例えばＴＦＴ（Ｔｈｉｎ  Ｆｉｌｍ  Ｔｒａｎｓｉｓｔｏｒ；薄膜トランジスタ）１０と、このＴＦＴ１０のドレインに画素電極が接続された液晶セル１１と、ＴＦＴ１０のドレインに一方の電極が接続された保持容量１２とを有して構成されている。
【００４９】
更に、ＴＦＴ１０は、ゲートがゲート線Ｇに接続され、ソースが信号線Ｄに接続されており、液晶セル１１の対向電極と保持容量１２の他方の電極がコモン線１３に各画素共通に接続されている。なお、液晶セル１１の対向電極にはコモン線１３を介してコモン電圧（対向電極電圧）ＶＣＯＭが各画素共通に印加されることとなる。
【００５０】
また、垂直駆動回路３は、画素アレイ部２の例えば右側に配置されている。なお、ここでは、画素アレイ部２の右側に垂直駆動回路３が配置された場合を例に挙げて説明を行っているが、画素アレイ部２の左側に、あるいは画素アレイ部２の左右側に垂直駆動回路３が配置されても良い。ここで、垂直駆動回路３は、シフトレジスタやバッファ回路等によって構成され、垂直走査パルスを順に出力し、この垂直走査パルスを画素アレイ部２の走査線Ｇに与えることによって画素９が行単位で選択されることとなる。
【００５１】
更に、液晶パネルにおける信号線Ｄの駆動方式としてセレクタ駆動方式（時分割駆動方式）を採用しているために、画素アレイ部２において、信号線Ｄを互いに隣り合う４本ずつを組（単位）としている。
【００５２】
また、液晶パネルには、その外部に設けられたドライバＩＣ８から、信号線Ｄに対してＮ（＝ｎ／４）系統の映像信号ＳＩＧ＃１〜ＳＩＧ＃Ｎが入力されるのであるが、このＮ系統の映像信号ＳＩＧ＃１〜ＳＩＧ＃Ｎは、組となる４本の信号線分の信号が１Ｈ（Ｈ：水平走査期間）毎に時系列で並んだ状態で入力され、スイッチ回路群４のＮ個のスイッチ回路ＳＷ１，ＳＷ２，ＳＷ３・・・ＳＷＮにそれぞれ供給されることとなる。具体的には、ドライバＩＣ８には各組に対応して出力端子（図示せず）が設けられ、各出力端子からＮ系統の映像信号が出力され、出力された映像信号は出力端子とスイッチ回路とを接続する映像信号供給線を介してスイッチ回路に供給される。
【００５３】
更に、Ｎ個のスイッチ回路ＳＷは、液晶パネルの外部から入力されるドライブパルスＨＳＷＬ１，ＨＳＥＬ２，ＨＳＥＬ３，ＨＳＥＬ４に基づいてバッファ群５の各バッファ５−１，５−２，５−３，５−４の各々から出力されるドライブパルスＨｄｒｉｖｅ１，Ｈｄｒｉｖｅ２，Ｈｄｒｉｖｅ３，Ｈｄｒｉｖｅ４に同期して、組となる４本の信号線を時分割にて順次選択し、その選択した信号線に対して映像信号ＳＩＧ＃１〜ＳＩＧ＃Ｎの各々を時分割で振り分けて供給する。
【００５４】
ここで、図３で示す様に、本発明を適用した液晶パネルにおける第（２Ｎ−１）番目（Ｎ：自然数）の組では、各組の第１本目の信号線に接続されたスイッチ回路、即ち、第（８ｉ−７）本目（ｉ：自然数）の信号線に接続されたスイッチ回路はドライブパルスＨｄｒｉｖｅ１が供給される第１の制御信号供給線Ｌ１と接続され、各組の第２本目の信号線に接続されたスイッチ回路、即ち、第（８ｉ−６）本目の信号線に接続されたスイッチ回路はドライブパルスＨｄｒｉｖｅ２が供給される第２の制御信号供給線Ｌ２と接続され、各組の第３本目の信号線に接続されたスイッチ回路、即ち、第（８ｉ−５）本目の信号線に接続されたスイッチ回路はドライブパルスＨｄｒｉｖｅ３が供給される第３の制御信号供給線Ｌ３と接続され、各組の第４本目の信号線に接続されたスイッチ回路、即ち、第（８ｉ−４）本目の信号線に接続されたスイッチ回路はドライブパルスＨｄｒｉｖｅ４が供給される第４の制御信号供給線Ｌ４と接続されている。
【００５５】
一方、第（２Ｎ）番目（Ｎ：自然数）の組では、各組の第１本目の信号線に接続されたスイッチ回路、即ち、第（８ｉ−３）本目の信号線に接続されたスイッチ回路はドライブパルスＨｄｒｉｖｅ４が供給される第４の制御信号供給線Ｌ４と接続され、各組の第２本目の信号線に接続されたスイッチ回路、即ち、第（８ｉ−２）本目の信号線に接続されたスイッチ回路はドライブパルスＨｄｒｉｖｅ３が供給される第３の制御信号供給線Ｌ３と接続され、各組の第３本目の信号線に接続されたスイッチ回路、即ち、第（８ｉ−１）本目の信号線に接続されたスイッチ回路はドライブパルスＨｄｒｉｖｅ２が供給される第２の制御信号供給線Ｌ２と接続され、各組の第４本目の信号線に接続されたスイッチ回路、即ち、第（８ｉ）本目の信号線に接続されたスイッチ回路はドライブパルスＨｄｒｉｖｅ１が供給される制御信号供給線Ｌ１と接続されている。
【００５６】
ここで、本発明を適用した液晶表示装置における液晶パネルでは、異なる組の信号線と隣接している全ての信号線について、隣接する異なる組の信号線と同一の制御信号供給線と接続されている場合を例に挙げて説明を行っているが、必ずしも異なる組の信号線と隣接している全ての信号線について、隣接する異なる組の信号線と同一の制御信号供給線と接続されている必要は無く、各組の第１本目の信号線に接続されたスイッチ回路若しくは第４本目の信号線に接続されたスイッチ回路のいずれか一方のスイッチ回路が、このスイッチ回路が接続された信号線に隣接する信号線に接続されたスイッチ回路と同一の制御信号供給線に接続されていても良い。
但し、異なる組の信号線と隣接している全ての信号線について、隣接する異なる組の信号線と同一の制御信号供給線と接続されている場合には、より一層画品位の向上を図ることができる。
【００５７】
以下、上記の様に構成された液晶表示装置の駆動方法について説明を行う。即ち、本発明を適用した表示パネルの駆動方法の一例について説明を行なう。なお、以下では第ｊ本目の信号線に接続されたスイッチ回路を「第ｊ本目のスイッチ回路」と称する。
【００５８】
上記の様に構成された液晶表示装置を駆動する場合には、ドライバＩＣの負担を軽減するために、先ず、水平ブランキング期間において、プリチャージ制御パルスＰＣＧを論理正とし、プリチャージ回路によって各信号線にプリチャージ信号Ｐｓｉｇの書き込みを行なう。
【００５９】
次に、垂直駆動回路によって１行目のゲート線Ｇ１にＨレベル信号を出力してゲート線Ｇ１を選択した状態で、図４中符合ｔ１で示すタイミングでＨｄｒｉｖｅ１をＨレベルにすることで第１の制御信号供給線Ｌ１と接続された第（８ｉ−７）本目のスイッチ回路及び第（８ｉ）本目のスイッチ回路を導通状態として第（８ｉ−７）本目の信号線及び第（８ｉ）本目の信号線に映像信号を供給し、図４中符合ｔ２で示すタイミングでＨｄｒｉｖｅ１をＬレベルにすることで第（８ｉ−７）本目のスイッチ回路及び第（８ｉ）本目のスイッチ回路を非導通状態として第（８ｉ−７）本目の信号線及び第（８ｉ）本目の信号線をフローティング状態とする。即ち、信号線Ｄ（８ｉ−７）及び信号線Ｄ（８ｉ）に図４中符合Ｔ１で示す期間に映像信号を供給し、この期間にゲート線Ｇ１及び信号線Ｄ（８ｉ−７）、ゲート線Ｇ１及び信号線Ｄ（８ｉ）と接続された画素に映像信号を書き込む。
【００６０】
また、図４中符合ｔ２で示すタイミングでＨｄｒｉｖｅ２をＨレベルにすることで第２の制御信号供給線Ｌ２と接続された第（８ｉ−６）本目のスイッチ回路及び第（８ｉ−１）本目のスイッチ回路を導通状態として第（８ｉ−６）本目の信号線及び第（８ｉ−１）本目の信号線に映像信号を供給し、図４中符合ｔ３で示すタイミングでＨｄｒｉｖｅ２をＬレベルにすることで第（８ｉ−６）本目のスイッチ回路及び第（８ｉ−１）本目のスイッチ回路を非導通状態として第（８ｉ−６）本目の信号線及び第（８ｉ−１）本目の信号線をフローティング状態とする。即ち、信号線Ｄ（８ｉ−６）及び信号線Ｄ（８ｉ−１）に図４中符合Ｔ２で示す期間に映像信号を供給し、この期間にゲート線Ｇ１及び信号線Ｄ（８ｉ−６）、ゲート線Ｇ１及び信号線Ｄ（８ｉ−１）と接続された画素に映像信号を書き込む。
【００６１】
また、図４中符合ｔ３で示すタイミングでＨｄｒｉｖｅ３をＨレベルにすることで第３の制御信号供給線Ｌ３と接続された第（８ｉ−５）本目のスイッチ回路及び第（８ｉ−２）本目のスイッチ回路を導通状態として第（８ｉ−５）本目の信号線及び第（８ｉ−２）本目の信号線に映像信号を供給し、図４中符合ｔ４で示すタイミングでＨｄｒｉｖｅ３をＬレベルにすることで第（８ｉ−５）本目のスイッチ回路及び第（８ｉ−２）本目のスイッチ回路を非導通状態として第（８ｉ−５）本目の信号線及び第（８ｉ−２）本目の信号線をフローティング状態とする。即ち、信号線Ｄ（８ｉ−５）及び信号線Ｄ（８ｉ−２）に図４中符合Ｔ３で示す期間に映像信号を供給し、この期間にゲート線Ｇ１及び信号線Ｄ（８ｉ−５）、ゲート線Ｇ１及び信号線Ｄ（８ｉ−３）と接続された画素に映像信号を書き込む。
【００６２】
また、図４中符合ｔ４で示すタイミングでＨｄｒｉｖｅ４をＨレベルにすることで第４の制御信号供給線Ｌ４と接続された第（８ｉ−４）本目のスイッチ回路及び（８ｉ−３）本目のスイッチ回路を導通状態として第（８ｉ−４）本目の信号線及び第（８ｉ−３）本目の信号線に映像信号を供給し、図４中符合ｔ５で示すタイミングでＨｄｒｉｖｅ４をＬレベルにすることで第（８ｉ−４）本目のスイッチ回路及び第（８ｉ−３）本目のスイッチ回路を非導通状態として第（８ｉ−４）本目の信号線及び第（８ｉ−３）本目の信号線をフローティング状態とする。即ち、信号線Ｄ（８ｉ−４）及び信号線Ｄ（８ｉ−３）に図４中符合Ｔ４で示す期間に映像信号を供給し、この期間にゲート線Ｇ１及び信号線Ｄ（８ｉ−４）、ゲート線Ｇ１及び信号線Ｄ（８ｉ―３）と接続された画素に映像信号を書き込む。
【００６３】
以上の様にして、１行目の画素への映像信号の書き込みが終了することとなる。なお、２行目以降の画素についても同様の作業を繰り返すことによって映像信号の書き込みを行なう。
【００６４】
上記した液晶表示装置では、従来の液晶表示装置と比較すると縦スジの発生を低減することができ、画品位が向上することとなる。
以下、この点について、第１番目の組に属する信号線Ｄ１〜信号線Ｄ４に映像信号ＳＩＧ＃１を供給し、第２番目の組に属する信号線Ｄ５〜信号線Ｄ８に映像信号ＳＩＧ＃２を供給する場合を例に挙げて詳細に説明を行なう。
【００６５】
なお、信号線間に生じる寄生容量は必ずしも隣接する信号線間のみではなく、互いに離れた位置に存在する信号線間においても生じることとなるが、信号線の電位に最も大きな影響を及ぼすこととなるのは隣接する信号線間の寄生容量であるために、以下では隣接する信号線間のみに寄生容量が生じるものとして説明を行なう。
【００６６】
即ち、第１番目の組に属する信号線Ｄ１〜信号線Ｄ４に映像信号ＳＩＧ＃１を供給し、第２番目の組に属する信号線Ｄ５〜信号線Ｄ８に映像信号ＳＩＧ＃２を供給して画素へ映像信号を書き込む場合を考えると、上記した様に、図４中符合Ｔ１で示す期間に信号線Ｄ１及び信号線Ｄ８に映像信号が供給されることとなるのであるが、図４中符合ｔ２で示すタイミングでＨｄｒｉｖｅ２をＨレベルにすることで、信号線Ｄ１及び信号線Ｄ８に隣接する信号線Ｄ２及び信号線Ｄ７に映像信号が供給されることとなる。そして、信号線Ｄ２に映像信号が供給されると、信号線Ｄ１と信号線Ｄ２との間に存在する寄生容量によって、信号線Ｄ１の電位変動を引き起こしてしまうこととなる（図５中符合ａ参照。）。同様に、信号線Ｄ７に映像信号が供給されると、信号線Ｄ７と信号線Ｄ８との間に存在する寄生容量によって、信号線Ｄ８の電位変動を引き起こしてしまうこととなる（図５中符合ｂ参照。）。
【００６７】
また、図４中符合Ｔ２で示す期間に信号線Ｄ２及び信号線Ｄ７に映像信号が供給されることとなるのであるが、図４中符合ｔ３で示すタイミングでＨｄｒｉｖｅ３をＨレベルにすることで、信号線Ｄ２及び信号線Ｄ７に隣接する信号線Ｄ３及び信号線Ｄ６に映像信号が供給されることとなる。そして、信号線Ｄ３に映像信号が供給されると、信号線Ｄ２と信号線Ｄ３との間に存在する寄生容量によって、信号線Ｄ２の電位変動を引き起こしてしまうこととなる（図５中符合ｃ参照。）。同様に、信号線Ｄ６に映像信号が供給されると、信号線Ｄ６と信号線Ｄ７との間に存在する寄生容量によって、信号線Ｄ７の電位変動を引き起こしてしまうこととなる（図５中符合ｄ参照。）。
【００６８】
また、図４中符合Ｔ３で示す期間に信号線Ｄ３及び信号線Ｄ６に映像信号が供給されることとなるのであるが、図４中符合ｔ４で示すタイミングでＨｄｒｉｖｅ４をＨレベルにすることで、信号線Ｄ３及び信号線Ｄ６に隣接する信号線Ｄ４及び信号線Ｄ５に映像信号が供給されることとなる。そして、信号線Ｄ４に映像信号が供給されると、信号線Ｄ３と信号線Ｄ４との間に存在する寄生容量によって、信号線Ｄ３の電位変動を引き起こしてしまうこととなる（図５中符合ｅ参照。）。同様に、信号線Ｄ５に映像信号が供給されると、信号線Ｄ５と信号線Ｄ６との間に存在する寄生容量によって、信号線Ｄ６の電位変動を引き起こしてしまうこととなる（図５中符合ｆ参照。）。
【００６９】
なお、信号線Ｄ４及び信号線Ｄ５については、図４中符合Ｔ４で示す期間に映像信号が供給されることになるのであるが、映像信号が供給された後に隣接する信号線に映像信号が供給されることがないために、寄生容量によって電位変動を引き起こすことはない。
【００７０】
この様に、信号線Ｄ１は信号線Ｄ２に映像信号が供給される際に寄生容量によって電位変動が生じ、信号線Ｄ２は信号線Ｄ３に映像信号が供給される際に寄生容量によって電位変動が生じ、信号線Ｄ３は信号線Ｄ４に映像信号が供給される際に寄生容量によって電位変動が生じ、信号線Ｄ６は信号線Ｄ５に映像信号が供給される際に寄生容量によって電位変動が生じ、信号線Ｄ７は信号線Ｄ６に映像信号が供給される際に寄生容量によって電位変動が生じ、信号線Ｄ８は信号線Ｄ７に映像信号が供給される際に寄生容量によって電位変動が生じることとなる。換言すると、信号線Ｄ１、信号線Ｄ２、信号線Ｄ３、信号線Ｄ６、信号線Ｄ７及び信号線Ｄ８は寄生容量によるカップリングの影響を１度受け、信号線Ｄ４及び信号線Ｄ５は寄生容量によるカップリングの影響を受けないということになる。
【００７１】
従って、従来の液晶表示装置では２度のカップリングの影響を受ける信号線とカップリングの影響を受けない信号線とが生じていたのに対して、本発明を適用した液晶表示装置では１度のカップリングの影響を受ける信号線とカップリングの影響を受けない信号線とが生じるのみであり、上記した様に、従来の液晶表示装置よりも縦スジの発生を低減することができ、画品位の向上が実現することとなる。
【００７２】
図６は本発明を適用した液晶パネルの変形例（１）における制御信号供給線とスイッチ回路との接続状態を示す模式図であり、本発明を適用した液晶パネルの変形例（１）における第（２Ｎ−１）番目（Ｎ：自然数）の組では、各組の第１本目の信号線に接続されたスイッチ回路、即ち、第（８ｉ−７）本目（ｉ：自然数）の信号線に接続されたスイッチ回路は第１の制御信号供給線Ｌ１と接続され、各組の第２本目の信号線に接続されたスイッチ回路、即ち、第（８ｉ−６）本目の信号線に接続されたスイッチ回路は第３の制御信号供給線Ｌ３と接続され、各組の第３本目の信号線に接続されたスイッチ回路、即ち、第（８ｉ−５）本目の信号線に接続されたスイッチ回路は第２の制御信号供給線Ｌ２と接続され、各組の第４本目の信号線に接続されたスイッチ回路、即ち、第（８ｉ−４）本目の信号線に接続されたスイッチ回路は第４の制御信号供給線Ｌ４と接続されている。
【００７３】
一方、第（２Ｎ）番目（Ｎ：自然数）の組では、各組の第１本目の信号線に接続されたスイッチ回路、即ち、第（８ｉ−３）本目の信号線に接続されたスイッチ回路は第４の制御信号供給線Ｌ４と接続され、各組の第２本目の信号線に接続されたスイッチ回路、即ち、第（８ｉ−２）本目の信号線に接続されたスイッチ回路は第２の制御信号供給線Ｌ２と接続され、各組の第３本目の信号線に接続されたスイッチ回路、即ち、第（８ｉ−１）本目の信号線に接続されたスイッチ回路は第３の制御信号供給線Ｌ３と接続され、各組の第４本目の信号線に接続されたスイッチ回路、即ち、第（８ｉ）本目の信号線に接続されたスイッチ回路は第１の制御信号供給線Ｌ１と接続されている。
【００７４】
以下、上記の様に構成された液晶表示パネルを有する液晶表示装置の駆動方法について説明を行なう。即ち、本発明を適用した表示パネルの駆動方法の他の一例について説明を行なう。
【００７５】
上記の様に構成された液晶表示装置を駆動する場合には、ドライバＩＣの負担を軽減するために、先ず、水平ブランキング期間において、プリチャージ制御パルスＰＣＧを論理正とし、プリチャージ回路によって各信号線にプリチャージ信号Ｐｓｉｇの書き込みを行なう。
【００７６】
次に、垂直駆動回路によって１行目のゲート線Ｇ１にＨレベル信号を出力してゲート線Ｇ１を選択した状態で、図７中符合ｔ１で示すタイミングでＨｄｒｉｖｅ１をＨレベルにすることで第１の制御信号供給線Ｌ１と接続された第（８ｉ−７）本目のスイッチ回路及び第（８ｉ）本目のスイッチ回路を導通状態として第（８ｉ−７）本目の信号線及び第（８ｉ）本目の信号線に映像信号を供給し、図７中符合ｔ２で示すタイミングでＨｄｒｉｅ１をＬレベルにすることで第（８ｉ−７）本目のスイッチ回路及び第（８ｉ）本目のスイッチ回路を非導通状態として第（８ｉ−７）本目の信号線及び第（８ｉ）本目の信号線をフローティング状態とする。即ち、信号線Ｄ（８ｉ−７）及び信号線Ｄ（８ｉ）に図７中符合Ｔ１で示す期間に映像信号を供給し、この期間にゲート線Ｇ１及び信号線Ｄ（８ｉ−７）、ゲート線Ｇ１及びゲート線Ｄ（８ｉ）と接続された画素に映像信号を書き込む。
【００７７】
また、図７中符合ｔ２で示すタイミングでＨｄｒｉｖｅ２をＨレベルにすることで第２の制御信号供給線Ｌ２と接続された第（８ｉ−５）本目のスイッチ回路及び第（８ｉ−２）本目のスイッチ回路を導通状態として第（８ｉ−５）本目の信号線及び第（８ｉ−２）本目の信号線に映像信号を供給し、図７中符合ｔ３で示すタイミングでＨｄｒｉｖｅ２をＬレベルにすることで第（８ｉ−５）本目のスイッチ回路及び第（８ｉ−２）本目のスイッチ回路を非導通状態として第（８ｉ−５）本目の信号線及び第（８ｉ−２）本目の信号線をフローティング状態とする。即ち、信号線Ｄ（８ｉ−５）及び信号線Ｄ（８ｉ−２）に図７中符合Ｔ２で示す期間に映像信号を供給し、この期間にゲート線Ｇ１及び信号線Ｄ（８ｉ−５）、ゲート線Ｇ１及び信号線Ｄ（８ｉ−２）と接続された画素に映像信号を書き込む。
【００７８】
また、図７中符合ｔ３で示すタイミングでＨｄｒｉｖｅ３をＨレベルにすることで第３の制御信号供給線Ｌ３と接続された第（８ｉ−６）本目のスイッチ回路及び第（８ｉ−１）本目のスイッチ回路を導通状態として第（８ｉ−６）本目の信号線及び第（８ｉ−１）本目の信号線に映像信号を供給し、図７中符合ｔ４で示すタイミングでＨｄｒｉｖｅ３をＬレベルにすることで第（８ｉ−６）本目のスイッチ回路及び第（８ｉ−１）本目のスイッチ回路を非導通状態として第（８ｉ−６）本目の信号線及び第（８ｉ−１）本目の信号線をフローティング状態とする。即ち、信号線Ｄ（８ｉ−６）及び信号線Ｄ（８ｉ−１）に図７中符合Ｔ３で示す期間に映像信号を供給し、この期間にゲート線Ｇ１及び信号線Ｄ（８ｉ−６）、ゲート線Ｇ１及び信号線Ｄ（８ｉ−１）と接続された画素に映像信号を書き込む。
【００７９】
また、図７中符合ｔ４で示すタイミングでＨｄｒｉｖｅ４をＨレベルにすることで第４の制御信号供給線Ｌ４と接続された第（８ｉ−４）本目のスイッチ回路及び第（８ｉ−３）本目のスイッチ回路を導通状態として第（８ｉ−４）本目の信号線及び第（８ｉ−３）本目の信号線に映像信号を供給し、図７中符合ｔ５で示すタイミングでＨｄｒｉｖｅ４をＬレベルにすることで第（８ｉ−４）本目のスイッチ回路及び第（８ｉ−３）本目のスイッチ回路を非導通状態として第（８ｉ−４）本目の信号線及び第（８ｉ−３）本目の信号線をフローティング状態とする。即ち、信号線Ｄ（８ｉ−４）及び信号線Ｄ（８ｉ−３）に図７中符合Ｔ４で示す期間に映像信号を供給し、この期間にゲート線Ｇ１及び信号線Ｄ（８ｉ−４）、ゲート線Ｇ１及び信号線Ｄ（８ｉ−３）と接続された画素に映像信号を書き込む。
【００８０】
以上の様にして、１行目の画素への映像信号の書き込みが終了することとなる。なお、２行目以降の画素についても同様の作業を繰り返すことによって映像信号の書き込みを行なう。
【００８１】
上記した液晶表示装置では、従来の液晶表示装置と比較すると縦スジの発生を低減することができ、画品位が向上することとなる。
以下、この点について、第１番目の組に属する信号線Ｄ１〜信号線Ｄ４に映像信号ＳＩＧ＃１を供給し、第２番目の組に属する信号線Ｄ５〜信号線Ｄ８に映像信号ＳＩＧ＃２を供給する場合を例に挙げて詳細に説明を行なう。
【００８２】
即ち、第１番目の組に属する信号線Ｄ１〜信号線Ｄ４に映像信号ＳＩＧ＃１を供給し、第２番目の組に属する信号線Ｄ５〜信号線Ｄ８に映像信号ＳＩＧ＃２を供給して画素へ映像信号を書き込む場合を考えると、上記した様に、図７中符合Ｔ１で示す期間に信号線Ｄ１及び信号線Ｄ８に映像信号が供給されることとなるのであるが、図７中符合ｔ３で示すタイミングでＨｄｒｉｖｅ３をＨレベルにすることで、信号線Ｄ１及び信号線Ｄ８に隣接する信号線Ｄ２及び信号線Ｄ７に映像信号が供給されることとなる。そして、信号線Ｄ２に映像信号が供給されると、信号線Ｄ１と信号線Ｄ２との間に存在する寄生容量によって、信号線Ｄ１の電位変動を起こしてしまうこととなる（図８中符合ａ参照。）。同様に、信号線Ｄ７に映像信号が供給されると、信号線Ｄ７と信号線Ｄ８との間に存在する寄生容量によって、信号線Ｄ８の電位変動を引き起こしてしまうこととなる（図８中符合ｂ参照。）。
【００８３】
また、図７中符合Ｔ２で示す期間に信号線Ｄ３及び信号線Ｄ６に映像信号が供給されることとなるのであるが、図７中符合ｔ４で示すタイミングでＨｄｒｉｖｅ４をＨレベルにすることで、信号線Ｄ４及び信号線Ｄ５に映像信号が供給されることとなる。そして、信号線Ｄ４に映像信号が供給されると、信号線Ｄ３と信号線Ｄ４との間に存在する寄生容量によって、信号線Ｄ３の電位変動を引き起こしてしまうこととなる（図５中符合ｃ参照。）。同様に、信号線Ｄ５に映像信号が供給されると、信号線Ｄ５と信号線Ｄ６との間に存在する寄生容量によって、信号線Ｄ６の電位変動を引き起こしてしまうこととなる（図５中符合ｄ参照。）。
【００８４】
なお、信号線Ｄ２及び信号線Ｄ７については図７中符合Ｔ３で示す期間に映像信号が供給され、信号線Ｄ４及び信号線Ｄ５については図７中符合Ｔ４で示す期間に映像信号が供給されることになるのであるが、映像信号が供給された後に隣接する信号線に映像信号が供給されることがないために、寄生容量によって電位変動を引き起こすことはない。
【００８５】
この様に、信号線Ｄ１は信号線Ｄ２に映像信号が供給される際に寄生容量によって電位変動が生じ、信号線Ｄ３は信号線Ｄ４に映像信号が供給される際に寄生容量によって電位変動が生じ、信号線Ｄ６は信号線Ｄ５に映像信号が供給される際に寄生容量によって電位変動が生じ、信号線Ｄ８は信号線Ｄ７に映像信号が供給される際に寄生容量によって電位変動が生じることとなる。換言すると、信号線Ｄ１、信号線Ｄ３、信号線Ｄ６及び信号線Ｄ８は寄生容量によるカップリングの影響を１度受け、信号線Ｄ２、信号線Ｄ４、信号線Ｄ５及び信号線Ｄ７は寄生容量によるカップリングの影響を受けないということになる。
【００８６】
従って、従来の液晶表示装置では２度のカップリングの影響を受ける信号線とカップリングの影響を受けない信号線とが生じていたのに対して、本発明を適用した液晶表示装置の変形例（１）では１度のカップリングの影響を受ける信号線とカップリングの影響を受けない信号線とが生じるのみであり、上記した様に、従来の液晶表示装置よりも縦スジの発生を低減することができ、画品位の向上が実現することとなる。
【００８７】
図９は本発明を適用した液晶パネルの変形例（２）における制御信号供給線とスイッチ回路との接続状態を示す模式図であり、本発明を適用した液晶パネルの変形例（２）では、信号線Ｄを互いに隣り合う６本ずつを組（単位）とすると共に、第（２Ｎ−１）番目（Ｎ：自然数）の組では、各組の第１本目の信号線に接続されたスイッチ回路、即ち、第（１２ｉ−１１）本目（ｉ：自然数）の信号線に接続されたスイッチ回路は第１の制御信号供給線Ｌ１と接続され、各組の第２本目の信号線に接続されたスイッチ回路、即ち、第（１２ｉ−１０）本目の信号線に接続されたスイッチ回路は第２の制御信号供給線Ｌ２と接続され、各組の第３本目の信号線に接続されたスイッチ回路、即ち、第（１２ｉ−９）本目の信号線に接続されたスイッチ回路は第３の制御信号供給線Ｌ３と接続され、各組の第４本目の信号線に接続されたスイッチ回路、即ち、第（１２ｉ−８）本目の信号線に接続されたスイッチ回路は第４の制御信号供給線Ｌ４と接続され、各組の第５本目の信号線に接続されたスイッチ回路、即ち、第（１２ｉ−７）本目の信号線に接続されたスイッチ回路は第５の制御信号供給線Ｌ５と接続され、各組の第６本目の信号線に接続されたスイッチ回路、即ち、第（１２ｉ−６）本目の信号線に接続されたスイッチ回路は第６の制御信号供給線Ｌ６と接続されている。
【００８８】
一方、第（２Ｎ）番目（Ｎ：自然数）の組では、各組の第１本目の信号線に接続されたスイッチ回路、即ち、第（１２ｉ−５）本目の信号線に接続されたスイッチ回路は第６の制御信号供給線Ｌ６と接続され、各組の第２本目の信号線に接続されたスイッチ回路、即ち、第（１２ｉ−４）本目の信号線に接続されたスイッチ回路は第５の制御信号供給線Ｌ５と接続され、各組の第３本目の信号線に接続されたスイッチ回路、即ち、第（１２ｉ−３）本目の信号線に接続されたスイッチ回路は第４の制御信号供給線Ｌ４と接続され、各組の第４本目の信号線に接続されたスイッチ回路、即ち、第（１２ｉ−２）本目の信号線に接続されたスイッチ回路は第３の制御信号供給線Ｌ３と接続され、各組の第５本目の信号線に接続されたスイッチ回路、即ち、第（１２ｉ−１）本目の信号線に接続されたスイッチ回路は第２の制御信号供給線Ｌ２と接続され、各組の第６本目の信号線に接続されたスイッチ回路、即ち、第（１２ｉ）本目の信号線に接続されたスイッチ回路は第１の制御信号供給線Ｌ１と接続されている。
【００８９】
以下、上記の様に構成された液晶表示パネルを有する液晶表示装置の駆動方法について説明を行う。即ち、本発明を適用した表示パネルの駆動方法の更に他の一例について説明を行なう。
【００９０】
上記の様に構成された液晶表示装置を駆動する場合には、ドライバＩＣの負担を軽減するために、先ず、水平ブランキング期間において、プリチャージ制御パルスＰＣＧを論理正とし、プリチャージ回路によって各信号線にプリチャージ信号Ｐｓｉｇの書き込みを行なう。
【００９１】
次に、垂直駆動回路によって１行目のゲート線Ｇ１にＨレベル信号を出力してゲート線Ｇ１を選択した状態で、図１０中符合ｔ１で示すタイミングでＨｄｒｉｖｅ１をＨレベルにすることで第１の制御信号供給線Ｌ１と接続された第（１２ｉ−１１）本目のスイッチ回路及び第（１２ｉ）本目のスイッチ回路を導通状態として第（１２ｉ−１１）本目の信号線及び第（１２ｉ）本目の信号線に映像信号を供給し、図１０中符合ｔ２で示すタイミングでＨｄｒｉｖｅ１をＬレベルにすることで第（１２ｉ−１１）本目のスイッチ回路及び第（１２ｉ）本目のスイッチ回路を非導通状態として第（１２ｉ−１１）本目の信号線及び第（１２ｉ）本目の信号線をフローティング状態とする。即ち、信号線Ｄ（１２ｉ−１１）及び信号線Ｄ（１２ｉ）に図１０中符合Ｔ１で示す期間に映像信号を供給し、この期間にゲート線Ｇ１及び信号線Ｄ（１２ｉ−１１）、ゲート線Ｇ１及び信号線Ｄ（１２ｉ）と接続された画素に映像信号を書き込む。
【００９２】
また、図１０中符合ｔ２で示すタイミングでＨｄｒｉｖｅ２をＨレベルにすることで第２の制御信号供給線Ｌ２と接続された第（１２ｉ−１０）本目のスイッチ回路及び第（１２ｉ−１）本目のスイッチ回路を導通状態として第（１２ｉ−１０）本目の信号線及び第（１２ｉ−１）本目の信号線に映像信号を供給し、図１０中符合ｔ３で示すタイミングでＨｄｒｉｖｅ２をＬレベルにすることで第（１２ｉ−１０）本目のスイッチ回路及び第（１２ｉ−１）本目のスイッチ回路を非導通状態として第（１２ｉ−１０）本目の信号線及び第（１２ｉ−１）本目の信号線をフローティング状態とする。即ち、信号線Ｄ（１２ｉ−１０）及び信号線Ｄ（１２ｉ−１）に図１０中符合Ｔ２で示す期間に映像信号を供給し、この期間にゲート線Ｇ１及び信号線Ｄ（１２ｉ−１０）、ゲート線Ｇ１及び信号線Ｄ（１２ｉ−１）と接続された画素に映像信号を書き込む。
【００９３】
また、図１０中符合ｔ３で示すタイミングでＨｄｒｉｖｅ３をＨレベルにすることで第３の制御信号供給線Ｌ３と接続された第（１２ｉ−９）本目のスイッチ回路及び第（１２ｉ−２）本目のスイッチ回路を導通状態として第（１２ｉ−９）本目の信号線及び第（１２ｉ−２）本目の信号線に映像信号を供給し、図１０中符合ｔ４で示すタイミングでＨｄｒｉｖｅ３をＬレベルにすることで第（１２ｉ−９）本目のスイッチ回路及び第（１２ｉ−２）本目のスイッチ回路を非導通状態として第（１２ｉ−９）本目の信号線及び第（１２ｉ−２）本目の信号線をフローティング状態とする。即ち、信号線Ｄ（１２ｉ−９）及び信号線Ｄ（１２ｉ−２）に図１０中符合Ｔ３で示す期間に映像信号を供給し、この期間にゲート線Ｇ１及び信号線Ｄ（１２ｉ−９）、ゲート線Ｇ１及び信号線Ｄ（１２ｉ−２）と接続された画素に映像信号を書き込む。
【００９４】
また、図１０中符合ｔ４で示すタイミングでＨｄｒｉｖｅ４をＨレベルにすることで第４の制御信号供給線Ｌ４と接続された第（１２ｉ−８）本目のスイッチ回路及び第（１２ｉ−３）本目のスイッチ回路を導通状態として第（１２ｉ−８）本目の信号線及び第（１２ｉ−３）本目の信号線に映像信号を供給し、図１０中符合ｔ５で示すタイミングでＨｄｒｉｖｅ４をＬレベルにすることで第（１２ｉ−８）本目のスイッチ回路及び第（１２ｉ−３）本目のスイッチ回路を非導通状態として第（１２ｉ−８）本目の信号線及び第（１２ｉ−３）本目の信号線をフローティング状態とする。即ち、信号線Ｄ（１２ｉ−８）及び信号線Ｄ（１２ｉ−３）に図１０中符合Ｔ４で示す期間に映像信号を供給し、この期間にゲート線Ｇ１及び信号線Ｄ（１２ｉ−８）、ゲート線Ｇ１及び信号線Ｄ（１２ｉ−３）と接続された画素に映像信号を書き込む。
【００９５】
また、図１０中符合ｔ５で示すタイミングでＨｄｒｉｖｅ５をＨレベルにすることで第５の制御信号供給線Ｌ５と接続された第（１２ｉ−７）本目のスイッチ回路及び第（１２ｉ−４）本目のスイッチ回路を導通状態として第（１２ｉ−７）本目の信号線及び第（１２ｉ−４）本目の信号線に映像信号を供給し、図１０中符合ｔ６で示すタイミングでＨｄｒｉｖｅ５をＬレベルにすることで第（１２ｉ−７）本目のスイッチ回路及び第（１２ｉ−４）本目のスイッチ回路を非導通状態として第（１２ｉ−７）本目の信号線及び第（１２ｉ−４）本目の信号線をフローティング状態とする。即ち、信号線Ｄ（１２ｉ−７）及び信号線Ｄ（１２ｉ−４）に図１０中符合Ｔ５で示す期間に映像信号を供給し、この期間にゲート線Ｇ１及び信号線Ｄ（１２ｉ−７）、ゲート線Ｇ１及び信号線Ｄ（１２ｉ−４）と接続された画素に映像信号を書き込む。
【００９６】
また、図１０中符合ｔ６で示すタイミングでＨｄｒｉｖｅ６をＨレベルにすることで第５の制御信号供給線Ｌ６と接続された第（１２ｉ−６）本目のスイッチ回路及び第（１２ｉ−５）本目のスイッチ回路を導通状態として第（１２ｉ−６）本目の信号線及び第（１２ｉ−５）本目の信号線に映像信号を供給し、図１０中符合ｔ７で示すタイミングでＨｄｒｉｖｅ６をＬレベルにすることで第（１２ｉ−６）本目のスイッチ回路及び第（１２ｉ−５）本目のスイッチ回路を非導通状態として第（１２ｉ−６）本目の信号線及び第（１２ｉ−５）本目の信号線をフローティング状態とする。即ち、信号線Ｄ（１２ｉ−６）及び信号線Ｄ（１２ｉ−５）に図１０中符合Ｔ６で示す期間に映像信号を供給し、この期間にゲート線Ｇ１及び信号線Ｄ（１２ｉ−６）、ゲート線Ｇ１及び信号線Ｄ（１２ｉ−５）と接続された画素に映像信号を書き込む。
【００９７】
以上の様にして、１行目の画素への映像信号の書き込みが終了することとなる。なお、２行目以降の画素についても同様の作業を繰り返すことによって映像信号の書き込みを行なう。
【００９８】
上記した液晶表示装置では、従来の液晶表示装置と比較すると縦スジの発生を低減することができ、画品位が向上することとなる。
以下、この点について、第１番目の組に属する信号線Ｄ１〜信号線Ｄ６に映像信号ＳＩＧ＃１を供給し、第２番目の組に属する信号線Ｄ７〜信号線Ｄ１２に映像信号ＳＩＧ＃２を供給する場合を例に挙げて詳細に説明を行なう。
【００９９】
即ち、第１番目の組に属する信号線Ｄ１〜信号線Ｄ６に映像信号ＳＩＧ＃１を供給し、第２番目の組に属する信号線Ｄ７〜信号線Ｄ１２に映像信号ＳＩＧ＃２を供給して画素へ映像信号を書き込む場合を考えると、上記した様に、図１０中符合Ｔ１で示す期間に信号線Ｄ１及び信号線Ｄ１２に映像信号が供給されることとなるのであるが、図１０中符合ｔ２で示すタイミングでＨｄｒｉｖｅ２をＨレベルにすることで、信号線Ｄ１及び信号線Ｄ１２に隣接する信号線Ｄ２及び信号線Ｄ１１に映像信号が供給されることとなる。そして、信号線Ｄ２に映像信号が供給されると、信号線Ｄ１と信号線Ｄ２との間に存在する寄生容量によって、信号線Ｄ１の電位変動を起こしてしまうこととなる（図１１中符合ａ参照。）。同様に、信号線Ｄ１１に映像信号が供給されると、信号線Ｄ１１と信号線Ｄ１２との間に存在する寄生容量によって、信号線Ｄ１２の電位変動を引き起こしてしまう（図１１中符合ｂ参照。）。
【０１００】
また、図１０中符合Ｔ２で示す期間に信号線Ｄ２及び信号線Ｄ１１に映像信号が供給されることとなるのであるが、図１０中符合ｔ３で示すタイミングでＨｄｒｉｖｅ３をＨレベルにすることで、信号線Ｄ２及び信号線Ｄ１１に隣接する信号線Ｄ３及び信号線Ｄ１０に映像信号が供給されることとなる。そして、信号線Ｄ３に映像信号が供給されると、信号線Ｄ２と信号線Ｄ３との間に存在する寄生容量によって、信号線Ｄ２の電位変動を起こしてしまうこととなる（図１１中符合ｃ参照。）。同様に、信号線Ｄ１０に映像信号が供給されると、信号線Ｄ１０と信号線Ｄ１１との間に存在する寄生容量によって、信号線Ｄ１１の電位変動を引き起こしてしまう（図１１中符合ｄ参照。）。
【０１０１】
また、図１０中符合Ｔ３で示す期間に信号線Ｄ３及び信号線Ｄ１０に映像信号が供給されることとなるのであるが、図１０中符合ｔ４で示すタイミングでＨｄｒｉｖｅ４をＨレベルにすることで、信号線Ｄ３及び信号線Ｄ１０に隣接する信号線Ｄ４及び信号線Ｄ９に映像信号が供給されることとなる。そして、信号線Ｄ４に映像信号が供給されると、信号線Ｄ３と信号線Ｄ４との間に存在する寄生容量によって、信号線Ｄ３の電位変動を起こしてしまうこととなる（図１１中符合ｅ参照。）。同様に、信号線Ｄ９に映像信号が供給されると、信号線Ｄ９と信号線Ｄ１０との間に存在する寄生容量によって、信号線Ｄ１０の電位変動を引き起こしてしまう（図１１中符合ｆ参照。）。
【０１０２】
また、図１０中符合Ｔ４で示す期間に信号線Ｄ４及び信号線Ｄ９に映像信号が供給されることとなるのであるが、図１０中符合ｔ５で示すタイミングでＨｄｒｉｖｅ５をＨレベルにすることで、信号線Ｄ４及び信号線Ｄ９に隣接する信号線Ｄ５及び信号線Ｄ８に映像信号が供給されることとなる。そして、信号線Ｄ５に映像信号が供給されると、信号線Ｄ４と信号線Ｄ５との間に存在する寄生容量によって、信号線Ｄ４の電位変動を起こしてしまうこととなる（図１１中符合ｇ参照。）。同様に、信号線Ｄ８に映像信号が供給されると、信号線Ｄ８と信号線Ｄ９との間に存在する寄生容量によって、信号線Ｄ９の電位変動を引き起こしてしまう（図１１中符合ｈ参照。）。
【０１０３】
また、図１０中符合Ｔ５で示す期間に信号線Ｄ５及び信号線Ｄ８に映像信号が供給されることとなるのであるが、図１０中符合ｔ６で示すタイミングでＨｄｒｉｖｅ６をＨレベルにすることで、信号線Ｄ５及び信号線Ｄ８に隣接する信号線Ｄ６及び信号線Ｄ７に映像信号が供給されることとなる。そして、信号線Ｄ６に映像信号が供給されると、信号線Ｄ５と信号線Ｄ６との間に存在する寄生容量によって、信号線Ｄ５の電位変動を起こしてしまうこととなる（図１１中符合ｉ参照。）。同様に、信号線Ｄ７に映像信号が供給されると、信号線Ｄ７と信号線Ｄ８との間に存在する寄生容量によって、信号線Ｄ８の電位変動を引き起こしてしまう（図１１中符合ｊ参照。）。
【０１０４】
なお、信号線Ｄ６及び信号線Ｄ７については図１０中符合Ｔ６で示す期間に映像信号が供給されることになるのであるが、映像信号が供給された後に隣接する信号線に映像信号が供給されることがないために、寄生容量によって電位変動を引き起こすことはない。
【０１０５】
この様に、信号線Ｄ１は信号線Ｄ２に映像信号が供給される際に寄生容量によって電位変動が生じ、信号線Ｄ２は信号線Ｄ３に映像信号が供給される際に寄生容量によって電位変動が生じ、信号線Ｄ３は信号線Ｄ４に映像信号が供給される際に寄生容量によって電位変動が生じ、信号線Ｄ４は信号線Ｄ５に映像信号が供給される際に寄生容量によって電位変動が生じ、信号線Ｄ５は信号線Ｄ６に映像信号が供給される際に寄生容量によって電位変動が生じ、信号線Ｄ８は信号線Ｄ７に映像信号が供給される際に寄生容量によって電位変動が生じ、信号線Ｄ９は信号線Ｄ８に映像信号が供給される際に寄生容量によって電位変動が生じ、信号線Ｄ１０は信号線Ｄ９に映像信号が供給される際に寄生容量によって電位変動が生じ、信号線Ｄ１１は信号線Ｄ１０に映像信号が供給される際に寄生容量によって電位変動が生じ、信号線Ｄ１２は信号線Ｄ１１に映像信号が供給される際に寄生容量によって電位変動が生じることとなる。換言すると、信号線Ｄ１、信号線Ｄ２、信号線Ｄ３、信号線Ｄ４、信号線Ｄ５、信号線Ｄ８、信号線Ｄ９、信号線Ｄ１０、信号線Ｄ１１及び信号線Ｄ１２は寄生容量によるカップリングの影響を１度受け、信号線Ｄ６及び信号線Ｄ７は寄生容量によるカップリングの影響を受けないということになる。
【０１０６】
従って、従来の液晶表示装置では２度のカップリングの影響を受ける信号線とカップリングの影響を受けない信号線とが生じていたのに対して、本発明を適用した液晶表示装置の変形例（２）では１度のカップリングの影響を受ける信号線とカップリングの影響を受けない信号線とが生じるのみであり、上記した様に、従来の液晶表示装置よりも縦スジの発生を低減することができ、画品位の向上が実現することとなる。
【０１０７】
ここで、上記した本発明を適用した表示パネルでは、画素の電気光学素子として液晶セルを用いた液晶表示装置を例に挙げて説明を行っているが、表示パネルは液晶表示パネルに限定されるものではなく、画素の電気光学素子として例えばＥＬ素子を用いたＥＬ表示パネル等であっても良く、電気光学素子を含む画素が行列状に二次元配置されてなり、セレクタ駆動方式（時分割駆動方式）を採る表示パネルであればいかなるものであっても良い。
【０１０８】
また、上記した本発明を適用した表示装置では、４本の信号線を組とする場合と６本の信号線を組とする場合を例に挙げて説明を行ったが、組とする信号線の数はこれらの限定されるものではないことは勿論である。
【０１０９】
また、上記した本発明を適用した表示装置では、各組において第１本目の信号線に接続されたスイッチ回路から第ｘ本目（ｘ：１組の信号線の数）の信号線に接続されたスイッチ回路まで順に導通状態とし、若しくは、各組において第ｘ本目の信号線に接続されたスイッチ回路から第１本目の信号線に接続されたスイッチ回路まで順に導通状態とする場合を例に挙げて説明を行っているが、必ずしも第１本目の信号線に接続されたスイッチ回路から第ｘ本目の信号線に接続されたスイッチ回路、若しくは、第ｘ本目の信号線に接続されたスイッチ回路から第１本目の信号線に接続されたスイッチ回路まで順に導通状態とする必要はない。
但し、各組において第１本目の信号線に接続されたスイッチ回路から第ｘ本目（ｘ：１組の信号線の数）の信号線に接続されたスイッチ回路まで順に導通状態とし、若しくは、各組において第ｘ本目の信号線に接続されたスイッチ回路から第１本目の信号線に接続されたスイッチ回路まで順に導通状態とすることによって、ドライバＩＣにおける映像信号制御の容易化が実現すると考えられる。
【０１１０】
図１２は本発明を適用した映像表示装置の一例である透過型液晶プロジェクタを説明するための模式図であり、ここで示す透過型液晶プロジェクタ１００は、いわゆる３板方式として赤、緑、青の３原色に対応した３つのライトバルブに本発明を適用した液晶表示装置を使用し、スクリーン（図示せず）上に拡大投影されたカラー映像を表示する投射型の映像表示装置である。
【０１１１】
具体的に、この透過型液晶プロジェクタは、照明光を出射する光源であるランプ１０１と、ランプからの照明光のうち赤色光（Ｒ）のみを反射するＲダイクロイックミラー１０３Ｒと、ランプからの照明光のうち緑色光（Ｇ）のみを反射するＧダイクロイックミラー１０３Ｇと、赤色光（Ｒ），緑色光（Ｇ），青色光（Ｂ）をそれぞれ変調して透過する光変調手段であるＲライトバルブ１０４Ｒ，Ｇライトバルブ１０４Ｇ及びＢライトバルブ１０４Ｂと、変調された赤色光（Ｒ），緑色光（Ｇ），青色光（Ｂ）を合成する合成光学手段であるダイクロイックプリズム１０５と、合成された照明光をスクリーンに投射する投射手段である投射レンズ１０６とを備えている。
【０１１２】
ここで、ランプは、赤色光（Ｒ）、緑色光（Ｇ）及び青色光（Ｂ）を含む白色光を照射するものであり、例えばハロゲンランプや、メタルハロゲンランプ、キセノンランプ等からなる。
【０１１３】
また、ランプとＲダイクロイックミラーとの間の光路中には、赤外線や紫外線をカットするフィルタ１０９や、ランプから出射された照明光の照度分布を均一化するフライアイレンズ１０７や、照明光のＰ，Ｓ偏光成分を一方の偏光成分（例えばＳ偏光成分）に変換する偏光変換素子１０８等が配置されている。
【０１１４】
また、ＲダイクロイックミラーとＲライトバルブとの間には、赤色光（Ｒ）をＲライトバルブに向けて反射させる全反射ミラー１１０が配置され、ＧダイクロイックミラーとＢライトバルブとの間には、青色光（Ｂ）をＢライトバルブに向けて反射させる全反射ミラー１１０が配置されると共にリレーレンズ１１１が配置されている。
【０１１５】
投射レンズは、ダイクロイックプリズムからの光をスクリーンに向かって拡大投影する機能を有している。
【０１１６】
以上の様に構成される透過型液晶プロジェクタでは、ランプから出射された白色光がＲダイクロイックミラー及びＧダイクロイックミラーによって赤色光（Ｒ），緑色光（Ｇ），青色光（Ｂ）に分離される。これら分離された赤色光（Ｒ），緑色光（Ｇ），青色光（Ｂ）は、コンデンサレンズ１１２を介して各ライトバルブへと入射される。各ライトバルブに入射された赤色光（Ｒ），緑色光（Ｇ），青色光（Ｂ）は、各ライトバルブの各画素に印加される駆動電圧に応じて偏光変調された後、ダイクロイックプリズムによって合成され、この合成された光が投射レンズによってスクリーン上に拡大投射される。
【０１１７】
以上の様にして、この透過型液晶プロジェクタでは、ライトバルブによって変調された光に応じた映像をスクリーン上に拡大投影することでカラー映像表示を行なう。
【０１１８】
ところで、各ライトバルブを構成する液晶表示装置は、上述した様に、縦スジの発生を低減することができることから、ここで示す透過型プロジェクタにおいても縦スジの発生を低減することができ、画品位の向上が実現することとなる。
【０１１９】
なお、本実施例では透過型プロジェクタのようにスクリーンに投影する投射型の映像表示装置を例に挙げて説明を行なったが、本発明は液晶表示装置を直接見るような直視型の映像表示装置にも広く適用可能である。
【図面の簡単な説明】
【０１２０】
【図１】本発明を適用した表示装置の一例である液晶表示装置を説明するための模式図である。
【図２】画素の回路構成の一例を示す回路図である。
【図３】制御信号供給線とスイッチ回路との接続状態を示す回路図である。
【図４】液晶表示装置の回路動作を示すタイミングチャートである。
【図５】液晶表示装置の回路動作時の信号線の電位変動を説明するための図である。
【図６】本発明を適用した液晶パネルの変形例（１）における制御信号供給線とスイッチ回路との接続状態を示す模式図である。
【図７】液晶表示装置の変形例（１）の回路動作を示すタイミングチャートである。
【図８】液晶表示装置の変形例（１）の回路動作時の信号線の電位変動を説明するための図である。
【図９】本発明を適用した液晶パネルの変形例（２）における制御信号供給線とスイッチ回路との接続状態を示す模式図である。
【図１０】液晶表示装置の変形例（２）の回路動作を示すタイミングチャートである。
【図１１】液晶表示装置の変形例（２）の回路動作時の信号線の電位変動を説明するための図である。
【図１２】本発明を適用した映像表示装置の一例である透過型液晶プロジェクタを説明するための模式図である。
【図１３】従来の液晶表示装置を説明するための模式図である。
【図１４】従来の液晶表示装置における制御信号供給線とスイッチ回路との接続状態を示す回路図である。
【図１５】従来の液晶表示装置の回路動作を示すタイミングチャートである。
【図１６】従来の液晶表示装置の回路動作時の信号線の電位変動を説明するための図である。
【図１７】プリチャージ回路の構成の一例を示す回路図である。
【符号の説明】
【０１２１】
１    液晶表示装置
２    画素アレイ部
３    垂直駆動回路
４    スイッチ回路群
５    バッファ群
６    プリチャージ回路
７    液晶パネル
８    ドライバＩＣ
９    画素
１０    ＴＦＴ
１１    液晶セル
１２    保持容量
１３    コモン線
１００    透過型液晶プロジェクタ
１０１    ランプ
１０３Ｒ  Ｒダイクロイックミラー
１０３Ｇ  Ｇダイクロイックミラー
１０４Ｒ  Ｒライトバルブ
１０４Ｇ  Ｇライトバルブ
１０４Ｂ  Ｂライトバルブ
１０５    ダイクロイックプリズム
１０６    投射レンズ
１０７    フライアイレンズ
１０８    偏光変換素子
１０９    フィルタ
１１０    全反射ミラー
１１１    リレーレンズ
１１２    コンデンサレンズ
【図１】
2009075279.tif 000003
【図２】
2009075279.tif 000004
【図３】
2009075279.tif 000005
【図４】
2009075279.tif 000006
【図５】
2009075279.tif 000007
【図６】
2009075279.tif 000008
【図７】
2009075279.tif 000009
【図８】
2009075279.tif 000010
【図９】
2009075279.tif 000011
【図１０】
2009075279.tif 000012
【図１１】
2009075279.tif 000013
【図１２】
2009075279.tif 000014
【図１３】
2009075279.tif 000015
【図１４】
2009075279.tif 000016
【図１５】
2009075279.tif 000017
【図１６】
2009075279.tif 000018
【図１７】
2009075279.tif 000019